(57)【特許請求の範囲】
【請求項１】
遊技盤と、この遊技盤が組み付けられる本体枠とを備える遊技機において、
電気基板を収容する第１の基板ボックスと、
電気基板と電気配線によって接続される他の電気基板を収容する第２の基板ボックスと、
その一端が第１の基板ボックスの側面に回転可能に連結される一方で、その他端が第２の基板ボックスの側面に回転可能に連結されるリンク部材とを備えており、
第１の基板ボックスは、遊技盤の裏面側に固定され、遊技盤に対して配置位置が切替不能となっており、
第２の基板ボックスは、第１の基板ボックスに対してリンク部材が揺動すると共にリンク部材に対して第２の基板ボックスが回転することで、（１）その前面が第１の基板ボックスの前面と対向した状態となり、遊技盤の厚み方向で第１の基板ボックスに重ねて配置され、かつ、その全てが遊技盤の外郭内に収まる第１の位置と、（２）その前面が遊技盤の裏側から視認可能な状態となり、遊技盤の高さ方向で第１の基板ボックスと並んで配置され、かつ、その少なくとも一部が遊技盤の外郭からはみだす位置となる第２の位置に配置位置が切替可能となっており、
第１の基板ボックス及び第２の基板ボックスの各側面には、第２の基板ボックスが第１の位置に配置された状態でリンク部材を固定する第１リブ部と、第２の基板ボックスが第２の位置に配置された状態でリンク部材を固定する第２リブ部がそれぞれ設けられており、
第１リブ部と第２リブ部は、第１の基板ボックス及び第２の基板ボックスの各側面上で直線状に伸びると共に各側面から突出する凸形状をそれぞれ有しており、
第１リブ部は、第２の基板ボックスが第１の位置に配置されたときにリンク部材と当接する位置に形成されており、第２の基板ボックスが第１の位置から第２の位置へと切替られるときに、リンク部材は第１リブ部を乗り越えて揺動し、
第２リブ部は、第２の基板ボックスが第２の位置に配置されたときにリンク部材と当接する位置に形成されており、第２の基板ボックスが第２の位置から第１の位置へと切替られるときに、リンク部材は第２リブ部を乗り越えて揺動し、
遊技盤は、第２の基板ボックスが第１の位置に配置された状態で本体枠内に組み付けられ、その組付け後に第２の基板ボックスが第１の位置から第２の位置に切替可能となっていることを特徴とする遊技機。
【請求項２】
前記第１の基板ボックス及び前記第２の基板ボックスの各側面には、さらに、前記第２の基板ボックスが前記第１の位置に配置された状態で前記リンク部材を固定する第３リブ部と、前記第２の基板ボックスが前記第２の位置に配置された状態で前記リンク部材を固定する第４リブ部がそれぞれ設けられており、
第３リブ部と第４リブ部は、前記第１の基板ボックス及び前記第２の基板ボックスの各側面上で直線状に伸びると共に各側面から突出する凸形状をそれぞれ有しており、
第３リブ部は、前記第２の基板ボックスが前記第１の位置に配置されたときに前記リンク部材について前記第１リブ部とは反対の側から前記リンク部材に当接する位置に形成され、
第４リブ部は、前記第２の基板ボックスが前記第２の位置に配置されたときに前記リンク部材について前記第２リブ部とは反対の側から前記リンク部材に当接する位置に形成されることを特徴とする請求項１に記載の遊技機。
【請求項３】
前記リンク部材の一端は、前記第１の基板ボックスの下方側面で、前記第１の基板ボックスの裏面寄りの位置に接続されており、
前記リンク部材の他端は、前記第２の基板ボックスが前記第１の位置に配置されているときに下方となる前記第２の基板ボックスの下方側面で、前記第２の基板ボックスの裏面寄りの位置に接続されており、
前記第２の基板ボックスが前記第１の位置に配置されているときは、前記第１の基板ボックスの前面と前記第２の基板ボックスの前面が互いに密接しており、
前記第１の基板ボックスの前面と前記第２の基板ボックスの前面は、前記第２の基板ボックスが前記第１の位置に配置されているときに下端となる下端部にそれぞれ切欠きを有していることを特徴とする請求項１又は２に記載の遊技機。
【発明の詳細な説明】
【０００１】
【発明の属する技術分野】
本発明は、基板ボックスが取付けられた遊技盤を遊技機本体に対して着脱可能とした構造を有する遊技機に関し、詳しくは、遊技盤の取扱いを向上するための技術に関する。
【０００２】
【従来の技術】
例えば、パチンコ機のような遊技機では、遊技領域を形成する遊技盤を遊技機本体とは別体で製作し、この別体で製作された遊技盤を遊技機本体に設けられた本体枠に取付けるようにしたものがある。この種の遊技機では、遊技ホールにおいて新しいモデルへの切替えを行う場合、遊技機全体を交換するのではなく遊技盤のみを交換することが通常行われる。すなわち、遊技機本体側のハード構成（パチンコ機の場合では、発射装置、球払出装置、ランプ類、スピーカ等）については共通化し、遊技盤のみを交換することでコストの低減が図られている。
このような遊技機における遊技盤の交換に際しては、遊技盤の交換により遊技機において行われる遊技が異なるものとなることから、遊技盤の交換に付随して種々の装置（例えば、各種の電気基板を収容した基板ボックス等）を交換する必要が生じる。そのため、従来この種の遊技機では、遊技盤に付随して交換が必要となる基板ボックス等の構成部材を遊技盤裏面に予め固定的に取付けておき、遊技盤とこれらの構成部材を一体的に交換できるようにしていた。
【０００３】
【発明が解決しようとする課題】
ところが、最近の遊技機では、遊技の高度化、複雑化によって電気基板が大型化するとともに、その種類についても増加している。このため、遊技盤の裏面に取付けられる基板ボックス等の構成部材が、複雑化及び大型化する傾向にある。また、このような構成部材が配置される遊技盤裏側のスペースは、遊技機本体側に取付けられている各装置との関係や、遊技機が設置される遊技ホールの状況（例えば、隣接する遊技機との関係）等から状況に応じて種々の制限を受けることとなる。
しかしながら、上述した従来の遊技機では、構成部材が遊技盤裏面に固定的に取付けられていたため、状況に応じて構成部材の配置位置等を変更することができず、遊技盤の取扱いに困難が生じることがあった。
【０００４】
本発明は、かかる問題を解決するためになされたもので、取扱われる状況に応じて遊技盤の取扱いを容易にすることができる遊技機を提供することを課題とする。
【０００５】
【課題を解決するための手段および作用と効果】
請求項１に記載の遊技機は、遊技盤と、この遊技盤が組み付けられる本体枠とを備えており、電気基板を収容する第１の基板ボックスと、電気基板と電気配線によって接続される他の電気基板を収容する第２の基板ボックスと、その一端が第１の基板ボックスの側面に回転可能に連結される一方で、その他端が第２の基板ボックスの側面に回転可能に連結されるリンク部材とを備えている。この遊技機では、第１の基板ボックスは、遊技盤の裏面側に固定され、遊技盤に対して配置位置が切替不能となっており、第２の基板ボックスは、第１の基板ボックスに対してリンク部材が揺動すると共にリンク部材に対して第２の基板ボックスが回転することで、（１）その前面が第１の基板ボックスの前面と対向した状態となり、遊技盤の厚み方向で第１の基板ボックスに重ねて配置され、かつ、その全てが遊技盤の外郭内に収まる第１の位置と、（２）その前面が遊技盤の裏側から視認可能な状態となり、遊技盤の高さ方向で第１の基板ボックスと並んで配置され、かつ、その少なくとも一部が遊技盤の外郭からはみだす位置となる第２の位置に配置位置が切替可能となっており、第１の基板ボックス及び第２の基板ボックスの各側面には、第２の基板ボックスが第１の位置に配置された状態でリンク部材を固定する第１リブ部と、第２の基板ボックスが第２の位置に配置された状態でリンク部材を固定する第２リブ部がそれぞれ設けられており、第１リブ部と第２リブ部は、第１の基板ボックス及び第２の基板ボックスの各側面上で直線状に伸びると共に各側面から突出する凸形状をそれぞれ有しており、第１リブ部は、第２の基板ボックスが第１の位置に配置されたときにリンク部材と当接する位置に形成されており、第２の基板ボックスが第１の位置から第２の位置へと切替られるときに、リンク部材は第１リブ部を乗り越えて揺動し、第２リブ部は、第２の基板ボックスが第２の位置に配置されたときにリンク部材と当接する位置に形成されており、第２の基板ボックスが第２の位置から第１の位置へと切替られるときに、リンク部材は第２リブ部を乗り越えて揺動し、遊技盤は、第２の基板ボックスが第１の位置に配置された状態で本体枠内に組み付けられ、その組付け後に第２の基板ボックスが第１の位置から第２の位置に切替可能となっていることを特徴とする。
このような構成では、遊技盤に取付けられる電気基板は第１の基板ボックスと第２の基板ボックスに分けて収容される。そして、これら基板ボックスのうち一方は遊技盤に固定的に取付けられ、他方については配置位置が切替可能に取付けられる。したがって、遊技盤に取付けられる電気基板が一つの基板ボックスにまとめて収容されないため、各基板ボックスを小さくすることができる。
また、上記の構成の遊技機においては、遊技盤の取り扱われる状況に応じて、第２の基板ボックスの配置位置を切替えることができるので、遊技盤の取扱が容易となる。また、第２の基板ボックスを第２の位置に配置する事により二つの基板ボックスが重ならなくなるため、遊技機の奥行方向の厚みを薄くすることができる。したがって、遊技機が設置されるホールにおいて、奥行方向のスペースがない場合等に、第２の基板ボックスを第２の位置に配置することで遊技盤の取扱が向上する。
【０００６】
なお、上記「第１の基板ボックス」及び「第２の基板ボックス」は、遊技盤に取付けられる電気基板の数に応じて適宜その大きさ・数等を決定することができ、それぞれ一つだけ設けても良いし、それぞれ複数設けても良い。また、複数の基板ボックスを一体として構成してもよい。さらには、各基板ボックスに収容される電気基板の数も一つに限られず、その大きさに応じて複数の電気基板を同一の基板ボックスに収容するようにしても良い。
上記の遊技機は、前記第１の基板ボックス及び前記第２の基板ボックスの各側面には、さらに、前記第２の基板ボックスが前記第１の位置に配置された状態で前記リンク部材を固定する第３リブ部と、前記第２の基板ボックスが前記第２の位置に配置された状態で前記リンク部材を固定する第４リブ部がそれぞれ設けられていてもよい。このとき、第３リブ部と第４リブ部は、前記第１の基板ボックス及び前記第２の基板ボックスの各側面上で直線状に伸びると共に各側面から突出する凸形状をそれぞれ有しており、第３リブ部は、前記第２の基板ボックスが前記第１の位置に配置されたときに前記リンク部材について前記第１リブ部とは反対の側から前記リンク部材に当接する位置に形成され、第４リブ部は、前記第２の基板ボックスが前記第２の位置に配置されたときに前記リンク部材について前記第２リブ部とは反対の側から前記リンク部材に当接する位置に形成されることを特徴とすることが好ましい。
また、上記の遊技機において、前記リンク部材の一端は、前記第１の基板ボックスの下方側面で、前記第１の基板ボックスの裏面寄りの位置に接続されており、前記リンク部材の他端は、前記第２の基板ボックスが前記第１の位置に配置されているときに下方となる前記第２の基板ボックスの下方側面で、前記第２の基板ボックスの裏面寄りの位置に接続されており、前記第２の基板ボックスが前記第１の位置に配置されているときは、前記第１の基板ボックスの前面と前記第２の基板ボックスの前面が互いに密接しており、前記第１の基板ボックスの前面と前記第２の基板ボックスの前面は、前記第２の基板ボックスが前記第１の位置に配置されているときに下端となる下端部にそれぞれ切欠きを有していることが好ましい。
【００１３】
【発明の実施の形態】
上述した遊技機は、下記に示す形態で好適に実施することができる。
（形態１）  前記第２の基板ボックスが、一方の位置に配置されたときには第２の基板ボックスの一方の面が、他方の位置に配置されたときにはその他方の面が視認される。この形態によると、第２の基板ボックスがどちらの位置に配置されているかを一目で容易に判断することができる。
【００１４】
（形態２）  前記第２の基板ボックスを配置された位置で保持する保持手段が設けられる。この形態によると、第２の基板ボックスが配置された位置において安定した状態で保持されることとなるため、遊技盤の運搬等の際の取扱がより容易となる。
【００１５】
（形態３）  前記第２の基板ボックスが、各位置に設けられた係合部材に係合することで配置位置が切り替え可能となっている。この形態によると、第２の基板ボックスを係合部材に選択的に係合させることで、第２の基板ボックスの配置を簡易に切り替えることができる。
【００１６】
【実施例】
（実施例１）本明細書に記載の発明をパチンコ機に具現化した第１実施例について、図１〜図５を参照して説明する。図１は、パチンコ機の外枠に対して本体枠が開かれた状態を示す斜視図である（図１では、図示の便宜上、遊技盤を省略して示している）。図２は、パチンコ機の外枠に対して本体枠が開かれ、この本体枠に対して表枠が開かれた状態を示す斜視図である。図３は、パチンコ機の表側全体を示す正面図である。図４は、パチンコ機の裏側全体を示す背面図である。図５は、図４のＶ−Ｖ線断面図である。なお、図１、図２の図示の左側がパチンコ機の表側であり、右側が裏側である。
まず、パチンコ機１のパチンコ機本体側の構成について図１〜図５を用いて説明する。図１、図２に示されているように、パチンコ機１の本体側は、外枠２、本体枠１０および表枠３０を主体として構成されている。外枠２は、方形枠状に形成されており、この外枠２の下部には、本体枠１０の下端を受け止める下受け板３が取り付けられている。また、外枠２の表面の片側には、本体枠ヒンジ機構１００によって、本体枠１０が外枠２に対して開閉可能に組み付けられている。
図１、図２に示されているように、本体枠１０は方形額縁状に形成されている。本体枠１０の裏面には、本体枠１０の開口部周縁に沿って支持枠体１１が設けられ、この支持枠体１１に後述する遊技盤１３が着脱可能に取り付けられることとなる。なお、本体枠１０に取り付けられた状態では、遊技盤１３は、その表面のほとんどが本体枠１０の開口部から露出する。
【００１７】
図１に示されているように、本体枠１０の裏面には、支持枠体１１の片側の枠部１１ａで、裏セットヒンジ機構１２０によって裏セット部材１６が開閉可能に組み付けられている。この裏セット部材１６は、図４に示されるように、中央に開口部を有しており、その開口部を取囲むように球タンク７０、球誘導樋７１、払い出し樋７２等のパチンコ球の貯留、誘導等を行う部材が取り付けられている。さらに、この裏セット部材１６には、図５に示されるように、その開口部の下側に、払い出し制御基板と電源基板を収容しているサブ基板ボックス２３２が取付けられている。
また、本体枠１０の支持枠体１１には、上記裏セット部材１６を閉じた状態に保持するための複数の締め付け具１９が取り付けられている。本体枠１０に遊技盤１３を固定する場合には、本体枠１０の支持枠体１１に遊技盤１３を組み込み、次に、裏セット部材１６を本体枠１０に対して閉じ、この裏セット部材１６を締め付け具１９によって閉じた状態に保持する。これとは逆に、締め付け具１９を外して裏セット部材１６を開くと、本体枠１０の支持枠体１１から遊技盤１３を取り外すことができる。
なお、上述したパチンコ機本体（本体枠１０）への遊技盤１３の固定手順の説明から明らかなように、遊技盤１３を固定するためには裏セット部材１６を本体枠１０に対して閉じる必要が生じる。したがって、遊技盤１３の裏面に取付けられる裏構成部材は、遊技盤１３をパチンコ機本体へ固定する際は、裏セット部材１６に形成されている開口部内に収まるよう配置する必要がある。
【００１８】
また、図１に示されているように、本体枠１０の裏側の、本体枠ヒンジ機構１００とは反対側の一端には、上下に１つずつの本体枠施錠フック１７が上下方向にスライド可能に組み付けられている。この本体枠施錠フック１７は、外枠２に対して本体枠１０が閉じられたときに、外枠２に設けられた係合部（図示していない）に係合し、本体枠１０を閉じた状態に施錠することができるようになっている。また、外枠２に対する本体枠１０の解錠は、図２、図３に示されている本体枠１０の表側の鍵穴２２に鍵を挿入して回すと、本体枠施錠フック１７が解錠方向（下方）にスライドし、外枠２の係合部から外れることにより行われる。
【００１９】
図２、図３に示されているように、本体枠１０の表側下部には、パチンコ球を発射するための発射ハンドル２０や下皿２１等が取り付けられている。また、本体枠１０の表側には、表枠３０が表枠ヒンジ機構１４０によって開閉可能に組み付けられている。この表枠３０は、表枠本体３１、補強部材３１ａ、ガラス枠３３等を備えている。
表枠本体３１は合成樹脂材料よりなり、図２、図３に示されているように、中央部に遊技盤１３の遊技領域１４を透視可能な略円形の開口窓３２が形成されている。表枠本体３１の表側には、開口窓３２の周りを囲むように凹凸の装飾が施された合成樹脂製の装飾部材５０が組み付けられている。この装飾部材５０には、光が放たれるレンズを備えた飾り窓５１が適宜に形成される他、遊技盤１３の盤面に貼り付けられた証紙を透視可能な窓５２が形成されている。
図２、図５に示されているように、表枠３０に設けられたガラス枠３３は、表枠本体３１の開口窓３２を塞ぐ、重なり合った２枚のガラス板２９を保持するためのものである。このガラス枠３３は、補強部材３１ａの裏面側に設けられている。
【００２０】
図２に示されているように、表枠ヒンジ機構１４０と反対側の側端の表枠本体３１には、上、中、下のそれぞれの箇所に表枠施錠フック８０が上下方向にスライド可能に組み付けられている。この表枠施錠フック８０は、本体枠１０に対して表枠３０が閉じられたときに、本体枠１０に形成された係合穴８１に係合し、本体枠１０に対して表枠３０を施錠する。
本体枠１０に対する表枠３０の解錠は、本体枠１０の前面の鍵穴２２に鍵を挿入して、上述した外枠２に対する本体枠１０の解錠方向とは逆の方向に鍵を回す。この鍵を回すことにより、表枠施錠フック８０が解錠方向（下方）にスライドし、本体枠１０に対して表枠３０が解錠される。
図２、図３に示されているように、表枠３０の下方には、下板９０が本体枠１０にヒンジ（図示していない）で開閉可能に組み付けられている。この下板９０のヒンジとは反対側の裏面には、本体枠１０に対して下板９０を閉じた状態に保持する、閉止爪９２を形成した係合金具９１が装着されている。下板９０の前面には上皿９３が取り付けられている。
【００２１】
次に、上述したように構成されるパチンコ機本体側に取付けられる遊技盤１３の構成について図４及び図５を用いて説明する。図４、図５に示されているように、方形板状の遊技盤１３の裏側には、図柄表示器を制御する図柄制御基板（図示省略）等を覆うパネルカバー６が取り付けられている。このパネルカバー６は、既に説明した裏セット部材１６に形成された開口部内に収まるような大きさに形成されている。また、このパネルカバー６は一部が切り欠かれた形状をしており、ここにパチンコ機１を統括的に制御する主制御基板を収容する主制御基板ボックス２１２が取り付けられている。そして、この主制御基板ボックス２１２には、ヒンジ機構２２２によって可動基板ボックス２１６が連結される。この可動基板ボックス２１６内には、パチンコ機本体側の下板９０に配置されたスピーカの音声出力を制御する音声制御基板と、パチンコ機本体側の各所に配置されたランプの点灯を制御するランプ制御基板を収容している。これら主制御基板ボックス２１２と可動基板ボックス２１６が、請求項に記載の第１の基板ボックスと第２の基板ボックスに相当する。
【００２２】
なお、これら主制御基板ボックス２１２と可動基板ボックス２１６とを連結するヒンジ機構２２２は、主制御基板ボックス側のプレート２２４と、可動基板ボックス側のプレート２２６と、二つのプレート２２４、２２６を連結するヒンジピン２２８から構成されている。すなわち、プレート２２４とプレート２２６は、それぞれ主制御基板ボックス２１２と可動基板ボックス２１６の両側面に固定されているとともに、ヒンジピン２２８で回転可能に連結されている。このヒンジ機構２２２によって、可動基板ボックス２１２は、ヒンジピン２２８回りに回転して、図４、図５に一点鎖線で示されている主制御基板ボックス２１２に重なる２１６ａの位置（第１の位置）とサブ基板ボックス２３２に重なる２１６ｂの位置（第２の位置）とに配置切り換え可能となっている。
この可動基板ボックス２１６が第１の位置に配置されている状態では、可動基板ボックス２１６が裏セット部材１６に形成された開口部の内部に収まるため裏セット部材１６を閉めることができ、遊技盤１３をパチンコ機１の本体側に取付けることができる。また、可動基板ボックス２１６が第１の位置に配置されている状態では、可動基板ボックス２１６の後面が視認可能な状態（可動基板ボックスの前面が主制御基板ボックス２１２の前面に対向する状態）となっている。一方、可動基板ボックス２１６が第２の位置に配置されている状態では、可動基板ボックス２１６が主制御基板ボックス２１２の後面に位置せず、その奥行方向の厚みが小さくなっている。また、可動基板ボックス２１６が第２の位置に配置されている状態では、可動基板ボックス２１６の前面が視認可能な状態となっている。
【００２３】
なお、プレート２２４、２２６とヒンジピン２２８との連結部のハメアイは固く形成されているので、ヒンジ機構２２２は、所要の力を加えないと回転しない。よって、可動基板ボックス２１６は第１の位置と第２の位置に安定した状態で保持されることとなる。
また、可動基板ボックス２１６内に収容された音声制御基板及びランプ制御基板は、それぞれ主制御基板ボックス２１２内に収容された主制御基板と配線されており、この配線を介して電気的な信号が伝送されるようになっている。この制御基板間を接続する配線は、可動基板ボックス２１６が第１の位置と第２の位置の間を配置切り換えのために移動する動きに追従することができるよう、その長さが調整されている。
【００２４】
この第１実施例の構成の遊技機では、可動基板ボックス２１６は、ヒンジ機構２２２によって主制御基板ボックス２１２及びパネルカバー６を介して遊技盤１３と一体になっており、また、ヒンジ機構２２２によって可動基板ボックス２１６を第１の位置２１６ａと第２の位置２１６ｂに配置切り換え可能である。
したがって、例えば、遊技機ホールにおいて遊技盤１３を新しいモデルに切換える場合における製造工場から遊技機ホールへの運搬時には、可動基板ボックス２１６を第１の位置２１６ａに配置することにより、可動基板ボックス２１６が遊技盤１３の外郭からはみ出さず、運搬時等の不注意により可動基板ボックスが破損することが防止される。
【００２５】
また、可動基板ボックス２１６を第１の位置２１６ａに配置することにより、可動基板ボックス２１６を取り外すことなくパチンコ機１の本体側に取付けることができる。このように可動基板ボックス２１６を遊技盤１３から取り外すことなくパチンコ機１の本体に取付けることができるため、遊技盤１３を遊技機１の本体枠１０に組み付けてしまえば、別途可動基板ボックス２１６を遊技機に取り付ける必要はなく、遊技盤１３の交換作業を迅速に行うことができる。例えば、可動基板ボックス２１６を別体で製作し、遊技機ホールにおいて取り付けるようにした場合と比較すると、輸送の際に可動基板ボックス２１６を別途梱包、開梱する必要や、各基板同士の配線等を行う必要が無く、遊技盤１３の交換作業を迅速に行うことができる。特に、遊技機ホールにおける遊技盤１３のパチンコ機１の本体への組付けは、数十台〜数百台の規模で行われることが普通なので、このように余分な作業や注意を払うことなく組み付け作業を行うことができることは大きなメリットである。
【００２６】
一方、遊技機ホールにおいてパチンコ機１の本体側に遊技盤１３を組み付けた後においては、可動基板ボックス２１６を第１の位置である遊技盤の裏側（２１６ａの位置：主制御基板ボックス２１２に重なった位置）から第２の位置である遊技機の裏側（２１６ｂの位置）に配置を切り換えることができる。したがって、主制御基板ボックス２１２の裏側には何も存在せず、パチンコ機１の奥行方向の長さが小さく抑えられるので、裏側に配置される島設備や他のパチンコ機等と干渉することが防止される。また、主制御基板ボックス２１２の後側が開放されている状態となるので、主制御基板ボックス２１２の点検（不正行為の発見等）を容易に行うことができる。
さらに、可動基板ボックス２１６は、第１の位置にあるときにはその後面がホール店員等に視認され、第２の位置にあるときにはその前面がホール店員等に視認される。したがって、遊技盤１３の交換を行うホール店員等は、可動基板ボックス２１６が第１の位置にあるのか第２の位置にあるのかを一目で確認することができ、配置位置を切換える作業（第２の位置に切換えることが指示されている場合等における配置位置の切替作業）のし忘れを防止することができる。
【００２７】
（実施例２）本明細書に記載の発明の第２実施例に係るパチンコ機について、図６〜図９を参照して説明する。図６は、可動基板ボックスが第１の位置に配置されている状態を示す側面図である。図７は、可動基板ボックスが第２の位置に配置されている状態を示す側面図である。図８は、可動基板ボックスが、リンク機構によって第１の位置と第２の位置の間を移動することを説明する図である。図９は、図７のＩX−ＩX線断面図である。なお、図６〜図８では、遊技盤の本体側は省略して図示している。また、本実施例の説明では、第１実施例のパチンコ機の説明で参照した図１〜図５の部材と同様の機能を果たすものについては、同じ参照番号を付し、重複した説明は省略する（後述する第３、第４実施例でも同様である）。
図６、図７に示されているように、可動基板ボックス２１６は、リンク機構３１２によって、主制御基板ボックス２１２と連結されている。このリンク機構３１２は、主制御基板ボックス側のピン３１４、リンクプレート３１８、可動基板ボックス側のピン３１６から構成されている。板状のリンクプレート３１８は、ピン３１４とピン３１６で、それぞれ主制御基板ボックス２１２と可動基板ボックス２１６に回転可能に取り付けられている。
このように構成されたリンク機構３１２によって、図８に示されているように、可動基板ボックス２１６は第１の位置２１６ａと２１６ｂの間を移動して、配置切替えされる。
【００２８】
また、図６〜図９に示されているように、主制御基板ボックス２１２と可動基板ボックス２１６の外側面には、直線上の凸形状のリブ３２２が形成されている。このリブ３２２は、可動基板ボックス２１６が第１の位置２１６ａ、第２の位置２１６ｂに置かれている状態で、リンクプレート３１８の両側に位置するように配置されている。そして、可動基板ボックス２１６が第１の位置２１６ａと第２の位置２１６ｂに配置されると、リンクプレート３１８が可動基板ボックス２１６と主制御基板ボックス２１２に形成されているリブ３２２の間に位置するようになっている。したがって、この状態からリンクプレート３１８がピン３１４の周りに回転、あるいは、可動基板ボックス２１６がピン３１６の周りに回転しようとすると、リンクプレート３１８はリブ３２２を乗り越えて回転する必要が生じる。したがって、リンクプレート３１８がリブ３２２を乗り越えるためには、リンクプレート３１８を変形させる力（ディテント力）を加えなければならないため、可動基板ボックス２１６は、第１の位置２１６ａ、または、第２の位置２１６ｂに安定した状態で保持される。
【００２９】
（実施例３）本発明の第３実施例に係るパチンコ機について、図１０〜図１２を参照して説明する。図１０は、パチンコ機の裏側全体を示す背面図である。図１１は、図１０のＸＩ−ＸＩ線断面図である。図１２は、図１１のＸII−ＸII線断面図である。
図１０、図１１に示されているように、主制御基板ボックス２１２に重なる位置２１６ａの主制御基板ボックス２１２の両側面には、板状の第１サポート４１２（形態３に記載の係合部材に相当する）が取り付けられている。また、サブ基板ボックス２３２に重なる位置２１６ｂのサブ基板ボックス２３２の両側面には、板状の第２サポート４１４（形態３に記載の係合部材に相当する）が取り付けられている。この第１サポート４１２と第２サポート４１４には、図１１と図１２に示されているように、サポートの内側方向に３箇所の略円錐状の凸部４１６が形成されている。また、可動基板ボックス２１６には、上記二つのサポート４１２、４１４に形成された凸部４１６に対応する形状の３箇所の凹部４１８が形成されている。したがって、可動基板ボックス２１６の凹部４１８を、二つのサポート４１２、４１４に形成された凸部４１６に選択的に係合させることで、可動基板ボックス２１６の配置を、位置２１６ａと位置２１６ｂに切り替えを可能としている。
なお、第１サポート４１２に係合して配置される可動基板ボックス２１６の位置は、主制御基板ボックス２１２に重なる位置には限られず、遊技盤の外郭内であればどこの位置でもよく、例えば、図１１の位置Ａに示す、パネルカバー６に重なる位置でもよい。即ち、本実施例は、請求項６に記載の遊技機に相当する。
【００３０】
ここで、第１サポート４１２の３箇所の凸部４１６は、可動基板ボックス２１６が第１サポート４１２に係合している状態では、可動基板ボックス２１６の後面がパチンコ機１の裏側を向くように配置されている。一方、第２サポート４１４の凸部４１６は、可動基板ボックス２１６が第２サポート４１４に係合している状態では、可動基板ボックス２１６の前面がパチンコ機１の裏側を向くように配置されている。このため、可動基板ボックス２１６が第１の位置２１６ａに配置されているときには可動基板ボックス２１６の後面が、第２の位置２１６ｂに配置されているときには可動基板ボックス２１６の前面が視認される。可動基板ボックス２１６の前面と後面は、図１１に示すように、その前面においてはその１辺が切り欠かかれた形状をしており、一目で可動基板ボックス２１６が前面か後面かを明確に判別できる。従って、本実施例の構成によっても、可動基板ボックス２１６が位置２１６ａか、位置２１６ｂのどちらに配置されているのかを、一目で容易に判断することができる。
また、可動基板ボックス２１６内に収容された制御基板は、主制御基板ボックス２１２内に収容された主制御基板と配線されており、この配線を介して電気的な信号が伝送されるようになっている。この制御基板間を接続する配線は、可動基板ボックス２１６が位置２１６ａと位置２１６ｂの間を配置切り換えのために移動する動きに追従することができるよう、その長さが調整されている。
【００３１】
（実施例４）本発明の第４実施例に係るパチンコ機について、図１３、図１４を参照して説明する。図１３は、可動基板ボックスが第１の位置に配置されている状態を示す側面図である。図１４は、可動基板ボックスが第２の位置に配置されている状態を示す側面図である。なお、図１３、図１４では遊技盤の本体側は省略して図示している。
図１３、図１４に示されているように、可動基板ボックス２１６は、主制御基板ボックス２１２の両側面に取り付けられたリンク機構３３６によって、主制御基板ボックス２１２と連結されている。このリンク機構３３６は、主制御基板ボックス２１２側のピン３３２、リンクプレート３３７、可動基板ボックス２１６側のピン３３４から構成され、板状のリンクプレート３３７は、ピン３３２とピン３３４で主制御基板ボックス２１２と可動基板ボックス２１６に回転可能に取り付けられている。第２実施例のパチンコ機とは異なり、本実施例のリンク機構３３６においては、ピン３３２は主制御基板ボックスの上下高さの中間に位置しており、リンクプレート３３７の長手方向長さも長く形成されている。このため、第２実施例のパチンコ機よりも、可動基板ボックス２１６の第１の位置と第２の位置との間の移動距離は大きく、パネルカバー６に重なる位置（第１の位置）とサブ基板ボックス２３２に重なる位置（第２の位置）に配置切替される。
【００３２】
図１３、図１４に示されているように、主制御基板ボックス２１２と可動基板ボックス２１６の側面には、それぞれ直線状の凸形状のリブ３３８とリブ３４２が形成されている。このリブ３３８とリブ３４２は、第２実施例のパチンコ機と同様に、可動基板ボックス２１６を第１の位置と第２の位置に安定して保持する機能を有している。
【００３３】
以上、本明細書に記載の発明のいくつかの実施例に係るパチンコ機について説明したが、本明細書に記載の発明は上記の実施例になんら限定されるものではなく、本発明は当事者の知識に基づいて種々の変更、改良を施した形態で実施することができる。
【００３４】
例えば、第２実施例、第４実施例のリンクを用いた可動基板ボックス２１６の配置切り替え機構において、可動基板ボックス２１６を位置２１６ａと位置２１６ｂに保持する機構としてリブ３２２を記載しているが、必ずしもこれに限られるものではない。凸形状と凹形状の係合、ネジによる締め付け、リンクプレートとピンのハメアイをきつく形成する等、可動基板ボックス２１６を安定して保持できる構成であればよい。
【図面の簡単な説明】
【図１】本願の第１実施例の本体枠が開かれた状態のパチンコ機の斜視図
【図２】同、本体枠と表枠が開かれた状態のパチンコ機の斜視図
【図３】同、パチンコ機の表側全体を示す正面図
【図４】同、パチンコ機の裏側全体を示す背面図
【図５】同、図４のＶ−Ｖ線断面図
【図６】本願の第２実施例の遊技盤の側面図（可動基板ボックスが第１の位置）
【図７】同、遊技盤の側面図（可動基板ボックスが第２の位置）
【図８】同、可動基板ボックスのリンク機構の説明図
【図９】同、図７のＩＸ−ＩＸ線断面図
【図１０】本発明の第３実施例のパチンコ機の裏側全体を示す背面図
【図１１】同、図１０のＸＩ−ＸＩ線断面図
【図１２】同、図１１のＸＩI−ＸＩI線断面図
【図１３】本発明の第４実施例の遊技盤の側面図（可動基板ボックスが第１の位置）
【図１４】同、遊技盤の側面図（可動基板ボックスが第２の位置）
【符号の説明】
１：パチンコ機
２：外枠
３：下受け板
６：パネルカバー
１０：本体枠
１１：支持枠体、１１ａ：枠部
１３：遊技盤
１４：遊技領域
１６：裏セット部材
１７：本体枠施錠フック
１９：締め付け具
２０：発射ハンドル
２１：下皿
２２：鍵穴
２９：ガラス板
３０：表枠
３１：表枠本体、３１ａ：補強部材
３２：開口窓
３３：ガラス枠
５０：装飾部材
５１：飾り窓
５２：窓
７０：球タンク
７１：球誘導樋
７２：払い出し樋
８０：表枠施錠フック
８１：係合穴
９０：下板
９１：係合金具
９２：閉止爪
９３：上皿
１００：本体枠ヒンジ機構
１２０：裏セットヒンジ機構
１４０：表枠ヒンジ機構
２１２：主制御基板ボックス
２１６：可動基板ボックス、２１６ａ：第１の位置、２１６ｂ：第２の位置
２２２：ヒンジ機構
２２４、２２６：プレート
２２８：ヒンジピン
２３２：サブ基板ボックス
３１２：リンク機構
３１４，３１６：ピン
３１８：リンクプレート
３２２：リブ
３３２、３３４：ピン
３３６：リンク機構
３３７：リンクプレート
３３８：リブ
３４２：リブ
４１２：第１サポート
４１４：第２サポート
４１６：凸部
４１８：凹部
【図１】
0004441777.tif 000002
【図２】
0004441777.tif 000003
【図３】
0004441777.tif 000004
【図４】
0004441777.tif 000005
【図５】
0004441777.tif 000006
【図６】
0004441777.tif 000007
【図７】
0004441777.tif 000008
【図８】
0004441777.tif 000009
【図９】
0004441777.tif 000010
【図１０】
0004441777.tif 000011
【図１１】
0004441777.tif 000012
【図１２】
0004441777.tif 000013
【図１３】
0004441777.tif 000014
【図１４】
0004441777.tif 000015